(57)【要約】      （修正有）【課題】小型で、能率良く皮剥ぎ作業が出来る、樹脂管の表面皮剥ぎ用工具を提供する。【解決手段】ガス管や水道管の樹脂管６の表面皮剥ぎ用工具１であって、樹脂管の端部に挿脱可能に工具本体２を円環状に形成し、円環状の工具本体の内周部に外歯歯車３を旋回自在に装着するとともに、皮剥ぎ用刃４を刃先部が樹脂管端部の樹脂被覆部に当接状態になるように装着する。また工具本体の外側部には、外歯歯車３の外歯にラチェット８を係脱可能に配設するとともに、操作ハンドル１５を樹脂管のまわりに揺動可能に突設する。操作ハンドルを揺動することにより、容易に皮剥ぎ用刃４で樹脂管端部の樹脂被覆部を所定量皮剥ぎできる。【選択図】図３
0003200797.tif 000002
【実用新案登録請求の範囲】
【請求項１】
ガス管や水道管の樹脂管の表面皮剥ぎ用工具であって、
上記樹脂管の端部に挿脱可能に工具本体を環状に形成し、その環状の工具本体の内周部に外歯歯車を旋回自在に装着するとともに、皮剥ぎ用刃をその刃先部を樹脂管の端部の樹脂被覆部に当接状態にして装着し、
上記工具本体の外側部に上記外歯歯車の外歯にラチェットを係脱可能に配設するとともに、操作ハンドルを樹脂管のまわりに揺動可能に突設して、上記操作ハンドルを揺動して皮剥ぎ用刃で樹脂管の端部の樹脂被覆部を所定量皮剥ぎするように形成したことを特徴とする樹脂管の表面皮剥ぎ用工具。
【請求項２】
皮剥ぎ用刃の刃先部に所要角の掬い刃とこの掬い刃に垂直状に縦刃を設け、この縦刃の掬い刃面側に所要の傾斜面または円弧面を設けたことを特徴とする請求項１に記載の樹脂管の表面皮剥ぎ用工具。
【請求項３】
皮剥ぎ用刃を円弧状に形成して、その外周部を円環状の工具本体の内周面にそわせ、その内周部を樹脂管の外周面にそうように固着して、皮剥ぎ用刃の内周側の刃先部で樹脂管の端部の樹脂被覆部を皮剥ぎするように形成したことを特徴とする請求項１または２に記載の樹脂管の表面皮剥ぎ用工具。
【請求項４】
皮剥ぎの樹脂管の端部から所定量の位置にストッパーを固定して皮剥ぎ用刃を上記ストッパーに当接するまで皮剥ぎするように形成した特徴とする請求項１ないし３のいずれかに記載の樹脂管の表面皮剥ぎ用工具。
【考案の詳細な説明】
【技術分野】
【０００１】
本考案は、ガス管や水道管の樹脂管の表面皮剥ぎ用工具に関するものである。
【背景技術】
【０００２】
近年、ガス管や水道管には、表面に硬質樹脂を被覆した樹脂管が利用されて、その配管施工にあっては当該樹脂管の端部の被膜樹脂を剥離して配管接続することが行われている。
【０００３】
しかし、既設のガス管や水道管等に対する配管施工にあっては、地中に埋設された施工個所を掘削し、この掘削した深くて狭い場所で配管接続工事をしなければならなかった。
【０００４】
従来、地上での配管作業をするにあっては、特開平１０−１０９２０２号公報や実公平７−３０２４５号公報のように旋盤やフライスを利用して外被覆管の被覆層を剥離することが知られている。
【先行技術文献】
【特許文献】
【０００５】
【特許文献１】特開平１０−１０９２０２号公報
【特許文献２】実公平７−３０２４５号公報
【考案の概要】
【考案が解決しようとする課題】
【０００６】
しかし、これらの被覆管の剥離にあっては、大型で、高価な装置を利用するもので、到底、掘削現場の掘削した穴部内で使用することができなく、専ら手作業等で施工していたもので、手間がかかって能率が悪く、能率のよい小型で、安価な工具が望まれていた。
【課題を解決するための手段】
【０００７】
本考案は、上記のような点に鑑みたもので、上記の課題を解決するために、ガス管や水道管の樹脂管の表面皮剥ぎ用工具であって、上記樹脂管の端部に挿脱可能に工具本体を環状に形成し、その環状の工具本体の内周部に外歯歯車を旋回自在に装着するとともに、皮剥ぎ用刃をその刃先部を樹脂管の端部の樹脂被覆部に当接状態にして装着し、上記工具本体の外側部に上記外歯歯車の外歯にラチェットを係脱可能に配設するとともに、操作ハンドルを樹脂管のまわりに揺動可能に突設して、上記操作ハンドルを揺動して皮剥ぎ用刃で樹脂管の端部の樹脂被覆部を所定量皮剥ぎするように形成したことを特徴とする樹脂管の表面皮剥ぎ用工具を提供するものである。
【０００８】
また、皮剥ぎ用刃の刃先部に所要角の掬い刃とこの掬い刃に垂直状に縦刃を設け、この縦刃の掬い刃面側に所要の傾斜面または円弧面を設けたことを特徴とする樹脂管の表面皮剥ぎ用工具を提供するものである。
【０００９】
さらに、皮剥ぎ用刃を円弧状に形成して、その外周部を円環状の工具本体の内周面にそわせ、その内周部を樹脂管の外周面にそうように固着して、皮剥ぎ用刃の内周側の刃先部で樹脂管の端部の樹脂被覆部を皮剥ぎするように形成したことを特徴とする樹脂管の表面皮剥ぎ用工具を提供するものである。
【００１０】
さらにまた、皮剥ぎの樹脂管の端部から所定量の位置にストッパーを固定して皮剥ぎ用刃を上記ストッパーに当接するまで皮剥ぎするように形成した特徴とする樹脂管の表面皮剥ぎ用工具を提供するものである。
【考案の効果】
【００１１】
本考案の樹脂管の表面皮剥ぎ用工具は、請求項１のように、樹脂管の端部に挿脱可能に工具本体を環状に形成し、その環状の工具本体の内周部に外歯歯車を旋回自在に装着するとともに、皮剥ぎ用刃をその刃先部を樹脂管の端部の樹脂被覆部に当接状態にして装着し、上記工具本体の外側部に上記外歯歯車の外歯にラチェットを係脱可能に配設するとともに、操作ハンドルを樹脂管のまわりに揺動可能に突設して、上記操作ハンドルを揺動して皮剥ぎ用刃で樹脂管の端部の樹脂被覆部を所定量皮剥ぎするように形成したことによって、ガス管や水道管の埋設施工現場において、施工する樹脂管の端部に表面皮剥ぎ用工具の工具本体を挿着し、その内周部の皮剥ぎ用刃を樹脂管の端部の表面の樹脂被覆部に当接して施工できる。
すなわち、上記工具本体の外側部のラチェットを外歯歯車に係合し、操作ハンドルを樹脂管のまわりに揺動すると、樹脂管の表面に当接した皮剥ぎ用刃の刃先部で樹脂管の端部の表面の樹脂被覆部を所要量剥ぎ取っていくことができる。そのため、施工現場の掘削した狭い場所であっても、簡単かつ能率よく配管接続施工工事を行なうことができる。
【００１２】
また、請求項２のように、皮剥ぎ用刃の刃先部に所要角の掬い刃とこの掬い刃に垂直状に縦刃を設け、この縦刃の掬い刃面側に所要の傾斜面または円弧面を設けたことによって、上記のようにして操作ハンドルを樹脂管まわりに揺動することで、樹脂管の表面の樹脂被覆部に掬い刃と縦刃によって切り込んでいくことができ、樹脂管の端部の樹脂被覆部を螺旋状に連続的に剥ぎ取っていくことができる。
【００１３】
またさらに、請求項３のように、皮剥ぎ用刃を円弧状に形成して、その外周部を円環状の工具本体の内周面にそわせ、その内周部を樹脂管の外周面にそうように固着して、皮剥ぎ用刃の内周側の刃先部で樹脂管の端部の樹脂被覆部を皮剥ぎするように形成したことによって、上記した皮剥ぎ用刃を工具本体に安定性よく強固に装着でき、上記のように樹脂管の皮剥ぎを行なっていくことができる。
【００１４】
さらに、請求項４のように、皮剥ぎの樹脂管の端部から所定量の位置にストッパーを固定して皮剥ぎ用刃を上記ストッパーに当接するまで皮剥ぎするように形成したことによって、施工時に樹脂管の皮剥ぎ必要部分の所定位置にストッパーを挿着して、樹脂管の端部の樹脂被覆部の所定位置までを奇麗に、能率よく皮剥ぎすることができる。
【図面の簡単な説明】
【００１５】
【図１】本考案の一実施例の一部省略した正断面図（ａ）と背断面図（ｂ）、
【図２】同上の皮剥ぎ刃の拡大正面図（ａ）と拡大側面図（ｂ）、
【図３】同上の使用状態の一部省略した説明用側断面図。
【考案を実施するための形態】
【００１６】
本考案の樹脂管の表面皮剥ぎ用工具は、ガス管や水道管の樹脂管の表面皮剥ぎ用工具であって、上記樹脂管の端部に挿脱可能に工具本体を環状に形成し、その環状の工具本体の内周部に外歯歯車を旋回自在に装着するとともに、皮剥ぎ用刃をその刃先部を樹脂管の端部の樹脂被覆部に当接状態にして装着し、上記工具本体の外側部に上記外歯歯車の外歯にラチェットを係脱可能に配設するとともに、操作ハンドルを樹脂管のまわりに揺動可能に突設して、上記操作ハンドルを揺動して皮剥ぎ用刃で樹脂管の端部の樹脂被覆部を所定量皮剥ぎするように形成したことを特徴としている。
【００１７】
表面皮剥ぎ用工具１は、図１（ａ）、（ｂ）のように所定径の円環状等の環状の工具本体２の段設した内周部に所定径の外歯歯車３を旋回自在に同心円状に設け、この外歯歯車３の一部分に皮剥ぎ用刃４の刃先部５を鉄管の表面に硬質樹脂を被覆した所要の樹脂管６の端部の樹脂被覆部に当接するようにして装着し、樹脂管６の表面に被覆した樹脂被覆部の皮剥ぎをできるようにしている。
【００１８】
上記環状の工具本体２の一側部には、図１（ａ）、（ｂ）のように操作ハンドル取付部７を一体的に突設し、その内方側に山形状にラチェット８を左右に揺動可能に軸部９で軸支し、ラチェット８の山部１０に押えボール１１を所定の弾性力のスプリング１２を介して押さえて、ラチェット８の一方のラチェット爪１３を上記した外歯歯車３の外歯１４に係脱可能に当接するようにしている。そして、このラチェット８を外歯歯車３を一方向に旋回できるように係合し、操作ハンドル取付部７に所定長さの操作ハンドル１５を装着して操作ハンドル１５を揺動して外歯歯車３を旋回できるようにしている。
【００１９】
また、上記皮剥ぎ用刃４は、所要の工具鋼で形成していて、図２（ａ）、（ｂ）のように皮剥ぎ用刃４を円弧状に形成して、その外周部を円環状の工具本体２の内周面にそわせ、その内周部を樹脂管６の外周面にそうように固着して、皮剥ぎ用刃４の内周側の刃先部５で樹脂管６の端部の表面の樹脂被覆部を皮剥ぎするように形成している。
【００２０】
特に、皮剥ぎ用刃４の刃先部５は、図２（ａ）、（ｂ）のように掬い角５〜１５度の所要角の掬い刃１７と掬い刃１７に垂直状に縦刃１６を設け、縦刃１６の掬い刃１７面側を所要の傾斜面１８または円弧面とし、縦刃１６の背面に５〜１５度の所要角の逃がし１９を設けて、所要の螺旋状に連続的に皮剥ぎできるようにしている。上記逃がし１９は、３〜１５ｍｍ長、好ましくは８〜１０ｍｍ長とすることが所要幅の皮剥ぎができて好ましい。
【００２１】
また、上記外歯歯車３の内周部には、図１（ａ）、（ｂ）のように固定ピン２０を介して所定径の内輪２１を配設し、外歯歯車３の側面には装脱用カバー２２を装着している。２３はストッパーである。
【００２２】
なお、上記表面皮剥ぎ用工具１は、所要の樹脂管６の口径に対応して２５Ａや３２Ａ等の適宜の口径用のものとすることができ、必要により、必要径のアダプター等を装着して対処することも、本考案の趣旨にもとづいて適宜に実施することができるものである。
【実施例】
【００２３】
図１以下は、本考案の一実施例を示すものである。表面皮剥ぎ用工具１は、図１（ａ）、（ｂ）のように所定径の円環状の工具本体２に段設してその内周部に所定径の外歯歯車３を旋回自在に設け、図２（ａ）、（ｂ）のように外歯歯車３の一部分に皮剥ぎ用刃４を刃先部５を鉄管に硬質樹脂を被覆した所要の樹脂管６の端部の表面の樹脂被覆部に当接するように装着し、図３のように樹脂被覆の樹脂管６の皮剥ぎをできるようにしている。
【００２４】
上記工具本体２の一側部には、図１（ａ）、（ｂ）のように操作ハンドル取付部７を突設し、その内方側に山形状にラチェット８を左右に揺動可能に軸部９で軸支し、ラチェット８の山部１０に押えボール１１を所定の弾性力のスプリング１２を介して押さえて、ラチェット８の一方のラチェット爪１３を上記した外歯歯車３の外歯１４に係脱可能に当接するようにしている。そして、操作ハンドル取付部７に所定長さの操作ハンドル１５を装着し、操作ハンドル１５を揺動して外歯歯車３を旋回できるようにしている。
【００２５】
上記皮剥ぎ用刃４は、所要の工具鋼材で形成していて、図２（ａ）、（ｂ）のように皮剥ぎ用刃４を円弧状に形成し、その外周部を円環状の工具本体２の内周面にそわせ、その内周部を樹脂管６の外周面にそわせて固着し、皮剥ぎ用刃４の内周側に刃先部５を設けて樹脂管６の表面を皮剥ぎするように形成している。皮剥ぎ用刃４の刃先部５には、１０度の掬い角の掬い刃１７と掬い刃１７に垂直状に背面に１０ｍｍ長の逃がし１９を設けた縦刃１６を設け、この縦刃１６の掬い刃１７面側に所要の傾斜面１８を設けている。
【００２６】
たとえば、２５ｍｍ口径の鉄パイプにプラスチックを被覆したガス管の樹脂管６の端面部の樹脂被覆部を皮剥ぎするにあっては、図３のように樹脂管６の皮剥ぎを要する部分の所要位置に接合するパイプのストッパー２３を固着し、その端部側に表面皮剥ぎ用工具１の内輪２１部を挿着する。
【００２７】
そして、ラチェット８を皮剥ぎ方向側に倒し、ラチェット爪１３を外歯歯車３の外歯１４に係合し、操作ハンドル１５を揺動していくと、図３のように樹脂管６の鉄パイプに被覆している表面の樹脂被覆部を２ｍｍ厚、１０ｍｍ幅等で螺旋状に剥ぎ取っていくことができる。
【００２８】
その際、操作ハンドル１５を樹脂管６の側部で揺動することで、樹脂管６の端部の樹脂被覆部に掬い刃１７、縦刃１６によって螺旋状に切り込んでいくことができ、樹脂管６の表面の樹脂被覆部を所定幅ずつ図３のように螺旋状に連続的に剥ぎ取っていくことができ、表面皮剥ぎの能率を上げられる。
【００２９】
工具本体２が樹脂管６の皮剥ぎ必要部分の所定位置のストッパー２３に突き当たるまで操作ハンドル１５を揺動していくと、螺旋状に連続的に剥ぎ取れ、樹脂管６の所要の端部の樹脂被覆部を奇麗に、能率よく皮剥ぎすることができる。
【００３０】
上記では、ガス管について説明したが、水道管についても同様であり、皮剥ぎ用刃は上記の形状のものが好ましいが、本考案の趣旨にもとづいて適宜な形状のものも実施することができるものである。また、本考案は上記したように狭い施工個所での使用に限定することなく、その他の必要個所で利用することもできる。
【産業上の利用可能性】
【００３１】
本考案は、地中に埋設されたガス管や水道管等の樹脂被覆管の端部の表面皮剥ぎに利用できる。
【符号の説明】
【００３２】
１…表面皮剥ぎ用工具    ２…工具本体    ３…外歯歯車        ４…皮剥ぎ用刃
５…刃先部              ６…樹脂管      ８…ラチェット    １５…操作ハンドル  １６…縦刃              １７…掬い刃    ２３…ストッパー
【図１】
0003200797.tif 000003
【図２】
0003200797.tif 000004
【図３】
0003200797.tif 000005